(57)【要約】【課題】庫室パターンに応じて商品取出口の幅を変更する必要がなく、払出扉と他の機器との干渉を防止することのできる自動販売機を提供する。【解決手段】仕切板１５によって複数の庫室に仕切られた商品収納庫１１と、商品収納庫１１の前面を覆う内扉１４とを備え、各庫室に収納された商品を内扉１４に設けられた払出口１４ａから搬出する自動販売機において、仕切板１５に設けられ、隣接する庫室の一方から他方へ商品が通過可能な通過口１５ａと、各庫室から搬出された商品を払出口１４ａへ導くように傾斜するシュート板１６とを備えた。【選択図】図２
2007280321.tif 000002
【特許請求の範囲】
【請求項１】
仕切板によって複数の庫室に仕切られた商品収納庫と、商品収納庫の前面を覆う内扉とを備え、各庫室に収納された商品を内扉に設けられた払出口から搬出する自動販売機において、
前記仕切板に設けられ、隣接する庫室の一方から他方へ商品が通過可能な通過口と、
各庫室から搬出された商品を払出口へ導くように傾斜するシュート板とを備えた
ことを特徴とする自動販売機。
【請求項２】
前記払出口を内扉の幅方向略中央に設けた
ことを特徴とする請求項１に記載の自動販売機。
【請求項３】
前記通過口に一方向にのみ開閉可能な断熱性の扉を設けた
ことを特徴とする請求項１又は２に記載の自動販売機。
【発明の詳細な説明】
【技術分野】
【０００１】
本発明は、例えばビン、缶又はペットボトル入り飲料等の商品を販売する自動販売機に関するものである。
【背景技術】
【０００２】
従来、この種の自動販売機として、仕切板によって冷却庫室及び加熱庫室に仕切られた商品収納庫と、商品収納庫の前面を覆う内扉に設けられ、冷却庫室及び加熱庫室に収納された商品を搬出する払出口と、自動販売機本体の前面の外扉に商品を受ける止めるための商品受け箱とを備え、払出口から搬出された商品を商品受け箱に受容し、外扉の商品取出口から商品受け箱内の商品を外部に取り出せるようにしたものが知られている（例えば特許文献１参照。）。
【特許文献１】特開２００５−２２８１１３号公報
【発明の開示】
【発明が解決しようとする課題】
【０００３】
しかしながら、従来の自動販売機では、各庫室ごとに払出口が設けられるため、庫室の数、幅、位置等の組合せ（以下、庫室パターンという）により払出口の幅にあわせて外扉に設けられた商品取出口の位置と幅を変更しなければならないといった問題点があった。
【０００４】
また、各払出口に開閉可能な扉を設ける場合、払出口の扉と外扉に設けられた金庫等の他の機器とが干渉することがあり、干渉を回避するため金庫等を払出口の扉の側方や上方に配置する必要があるという問題点があった。
【０００５】
本発明は前記問題点に鑑みてなされたものであり、その目的とするところは、庫室パターンに応じて商品取出口の幅を変更する必要がなく、払出口の扉と他の機器との干渉も防止することのできる自動販売機を提供することにある。
【課題を解決するための手段】
【０００６】
本発明は前記目的を達成するために、仕切板によって複数の庫室に仕切られた商品収納庫と、商品収納庫の前面を覆う内扉とを備え、各庫室に収納された商品を内扉に設けられた払出口から搬出する自動販売機において、前記仕切板に設けられ、隣接する庫室の一方から他方へ商品が通過可能な通過口と、各庫室から搬出された商品を払出口へ導くように傾斜するシュート板とを備えた自動販売機を提案する。
【０００７】
この自動販売機によれば、隣接する庫室の一方から搬出された商品が仕切板の通過口を介して他方の庫室へ通過するとともに、シュート板によって払出口へ導かれるので、各庫室ごとに払出口を設ける必要がない。
【発明の効果】
【０００８】
本発明によれば、各庫室ごとに払出口を設ける必要がないことから、庫室パターンに応じて商品取出口の幅を変更する必要がなく、商品取出口の幅寸法の共通化を図ることができる。また、各庫室ごとに払出口を設ける必要がないことから、払出口の幅を小さくすることができるので、払出扉と金庫等の他の機器との干渉を防止することができ、干渉防止のために従来行っていたそれらの構造、配置等の変更をする必要がない。
【発明を実施するための最良の形態】
【０００９】
図１乃至図４は本発明の一実施形態を示すもので、図１は自動販売機の斜視図、図２は図１に示した自動販売機の外扉を開いた状態を示す斜視図、図３は図１に示した自動販売機の正面断面図、図４は図１に示した自動販売機の右側断面図である。
【００１０】
図１に示すように、自動販売機本体１０の前面には外扉２０が開閉自在に設けられている。
【００１１】
外扉２０の前面の上部には化粧パネル２２が設けられており、この化粧パネル２２の内部には多数の商品サンプル２２ａと商品名や商品メーカ名等の広告２２ｂが展示されている。また、化粧パネル２２の前面には各商品サンプル２２ａに対応した商品選択ボタン２２ｃがそれぞれ配置されている。
【００１２】
外扉２０の前面中央には、ロック操作レバー２３、硬貨投入口２４、返却レバー２５、金額表示部２６、紙幣投入口２７が設けられている。
【００１３】
ロック操作レバー２３は、外扉２０内に設けられたロック機構（図示せず）を動作させて外扉２０を開閉するためのもので、専用キーによって解錠可能になっている。
【００１４】
外扉２０の前面下部には、硬貨返却口２８、商品取出口２９が設けられており、商品取出口２９には、手動により開放可能な開閉扉２９ａが設けられている。
【００１５】
図２に示すように、自動販売機本体１０の内部には上下に商品収納庫１１と機械室１２とを有している。商品収納庫１１内には上部に商品を補充するための商品投入口１３ａが形成されており、補充された商品を収納、搬出するサーペンタイン式の商品収納ラック１３を左右方向に４台並設している。
【００１６】
各商品収納ラック１３は、幅方向に対向する一対の側板１３ｂを有しており、側板１３ｂ間に複数の円弧板１３ｃを前後方向に対向させ、上下に蛇行して延びる後述する商品収納部１３ｄを形成している。また、各商品収納ラック１３はそれぞれ隣接する商品収納ラック１３の間に間隙Ａを有しており、この間隙Ａに後述する仕切板１５を介在させることにより、商品収納庫１１が左右の庫室に仕切られている。
【００１７】
外扉２０の内面には金庫２１が設けられており、硬貨投入口２４を通じて投入された硬貨及び紙幣投入口２７を通じて投入された紙幣を貯蔵している。
【００１８】
商品収納庫１１の前面は断熱性の内扉１４によって開閉するようになっており、内扉１４の下部には商品収納庫１１の商品を商品取出口２９へ搬出する払出口１４ａが設けられている。また、払出口１４ａは内扉１４の幅方向のほぼ中央、すなわち外扉２０の幅方向ほぼ中央に配置されており、払出口１４ａの幅は商品収納庫１１に収納される商品が通過可能な幅に設定されている。これにより、払出口１４ａにあわせて商品取出口２９を外扉２０の幅方向中央に配置することが可能となる。
【００１９】
図３に示すように、商品収納庫１１は、冷却装置１７によって冷却されるとともに、ヒータ１８によって加熱されており、右側３台の商品収納ラック１３を冷却し、左側１台の商品収納ラック１３を加熱するように、間隙Ａに断熱性の仕切板１５を挿入している。
【００２０】
仕切板１５には通過口１５ａが設けられており、仕切板１５によって仕切られた隣接する庫室間を商品が通過可能になっている。また、通過口１５ａには開閉可能な断熱性の扉１５ｂが設けられており、扉１５ｂは左側の庫室（加熱庫室Ｃ）から右側の庫室（冷却庫室Ｂ）にのみ開閉可能になっている。これにより、仕切板１５に通過口１５ａを設けても冷却庫室Ｂ及び加熱庫室Ｃの気密性が保たれる。
【００２１】
冷却装置１７は、機械室１２に設置された圧縮機１７ａ及び凝縮機１７ｂ、商品収納庫１１の右側で商品収納ラック１３の下部裏側に設置された蒸発器１７ｃ、並びに図示しない膨張弁及び冷却送風機から構成されている。冷却送風機によって送風される庫内空気を蒸発器１７ｃに循環することにより、冷却庫室Ｂを冷却し、右側３台の商品収納ラック１３の商品を冷却している。
【００２２】
ヒータ１７は、商品収納庫１１の右側に配置され、ヒータ１７に併設する図示しない加熱送風機によって送風される庫内空気をヒータ１７に循環することにより、加熱庫室Ｃを加熱し、左側１台の商品収納ラック１３に収納された商品を加熱している。
【００２３】
冷却庫温度計１９ａ及び加熱庫温度計１９ｂは周知のサーミスタ等からなり、それぞれ冷却庫室B内及び加熱庫室Ｃに配置されており、冷却庫室B及び加熱庫室Ｃの庫内温度をそれぞれ測定している。
【００２４】
図４に示すように、商品収納ラック１３は複数の商品収納部１３ｄを有しており、各商品投入口１３ａから補充された商品Xを収納している。各商品収納部１３ｄの下部には商品搬出機構１３ｅを備えており、各商品収納部１３ｄ内の商品Ｘを係止するとともに、商品Xの販売時に下方に搬出するようになっている。
【００２５】
図３及び図４に示すように、シュート板１６は各商品収納ラック１３の下方に設けられており、冷却庫室Ｂ及び加熱庫室Ｃから搬出された商品Ｘを前扉１４に設けられた払出口１４ａへ導くように、自動販売機本体１０のほぼ中央かつ前方に傾斜している。これにより、加熱庫室Ｃから搬出された商品Ｘが仕切板１５の通過口１５ａを介して冷却庫室Ｂへ通過するとともに、シュート板１６によって払出口１４ａへ導かれるので、各庫室ごとに払出口１４ａを設ける必要がない。
【００２６】
払出口１４ａから搬出された商品Ｘは、払出口１４ａを開閉する払出扉１４ｂを介して外扉２０に設けられた商品受け箱２９ｂによって受け止められ、開閉扉２９ａを介して商品取出口２９から取り出されるようになっている。
【００２７】
本実施形態では、商品収納庫１１内を仕切板１５によって２つの庫室に仕切るようにしたが、これに限定されず、３つ以上の複数の庫室に仕切るようにしてもよい。また、払出口１４ａは１つだけ設ける場合に限定されず、図３に点線で示すように、払出口１４ａに設けられた払出扉１４ｂが外扉２０に設けられた金庫２１等の他の機器と干渉しないように配置可能な限り、払出口１４ａ及び払出扉１４ｂを複数設けるようにしてもよい。
【００２８】
このように、本発明によれば、加熱庫室Ｃから搬出された商品Ｘが仕切板１５の通過口１５ａを介して冷却庫室Ｂへ通過するとともに、シュート板１６によって払出口１４ａへ導かれるので、各庫室ごとに払出口１４ａを設ける必要がないことから、庫室パターンに応じて商品取出口２９の幅を変更する必要がなく、商品取出口２９の幅寸法の共通化を図ることができる。また、各庫室ごとに払出口１４ａを設ける必要がないことから、払出口１４ａの幅を小さくすることができるので、払出扉１４ｂと金庫２１等の他の機器との干渉を防止することができ、干渉防止のために従来行っていたそれらの構造、配置等の変更をする必要がない。
【００２９】
さらに、払出口１４ａを内扉１４の幅方向ほぼ中央に設けているので、払出口１４ａにあわせて商品取出口２９を外扉２０の中央に配置することができることから、利用者が商品Ｘを取り出すときに商品取出口２９内を探す手間を省くことができ、取出性の向上を図ることができる。
【００３０】
さらに、通過口１５ａに加熱庫室Ｃから冷却庫室Ｂにのみ開閉可能な断熱性の扉１５ｂを設けたので、仕切板１５に通過口１５ａを設けても冷却庫室Ｂ及び加熱庫室Ｃの気密性が保たれるとともに、商品取り出し口２９及び払出口１４ａから手を入れて冷却庫室Ｂから加熱庫室Ｃへ通過口１５ａを開けにくくなり、商品収納庫１１への不正を防止することができる。
【００３１】
なお、本発明の構成は、前記実施形態にのみ限定されるものではなく、本発明の要旨を逸脱しない範囲内において種々変更を加えてもよい。
【図面の簡単な説明】
【００３２】
【図１】自動販売機の斜視図
【図２】図１に示した自動販売機の外扉を開いた状態を示す斜視図
【図３】図１に示した自動販売機の正面断面図
【図４】図１に示した自動販売機の右側断面図
【符号の説明】
【００３３】
１１…商品収納庫、１４…内扉、１４ａ…払出口、１５…仕切板、１５ａ…通過口、１５ｂ…扉、１６…シュート板、Ｂ…冷却庫室、Ｃ…加熱庫室、X…商品
【図１】
2007280321.tif 000003
【図２】
2007280321.tif 000004
【図３】
2007280321.tif 000005
【図４】
2007280321.tif 000006